(57)【要約】      （修正有）【課題】反射照明板に実施した場合は傾斜方向、傾斜角度を変更でき、拡散照明板に実施した場合はカメラストロボ発光の拡散を強弱に変更できるカメラ装着式光調整照明板を提供する。【解決手段】適宜形状の平板状光調整照明板の板面に、使用カメラのレンズ筒外径より大径の円形孔を開口し、上記円形孔の内周縁部に、上記レンズ筒外径より小径のレンズ筒通し窓を中心部に設けてなるドーナツ状挟着シートを、その外周縁部において接続し、上記ドーナツ状挟着シートは、屈撓性を有し、且つ上記レンズ筒通し窓を、外径の異る各種レンズ筒に被着できるように、大径に拡開可能に形成すると共に少くとも該通し窓内周縁部に常時狭搾方向へ弾性を付勢してある。【選択図】図４
0003113463.tif 000002
【実用新案登録請求の範囲】
【請求項１】
適宜形状の平板状光調整照明板の板面に、使用カメラのレンズ筒外径より大径の円形孔を開口し、
上記円形孔の内周縁部に、上記レンズ筒外径より小径のレンズ筒通し窓を中心部に設けてなるドーナツ状挟着シートを、その外周縁部において接続し、
上記ドーナツ状挟着シートは、屈撓性を有し、且つ上記レンズ筒通し窓を、外径の異る各種レンズ筒に被着できるように、大径に拡開可能に形成すると共に少くとも該通し窓内周縁部に常時狭搾方向へ弾性を付勢してある、
カメラ装着式の光調整照明板。
【請求項２】
上記挟着シートのレンズ筒通し窓における少くともカメラレンズ筒に被着する部分にすべり止めを設けた、請求項１に記載のカメラ装着式の光調整照明板。
【考案の詳細な説明】
【技術分野】
【０００１】
本考案は、ストロボの発光を拡散して被写体に照射するための拡散照明板、太陽光、照明光等の外光を反射させて被写体に照射するための反射照明板等の光調整照明板であって、カメラに着脱自在に装着するタイプの光調整照明板に関する。
【背景技術】
【０００２】
従来、例えばカメラ装着式反射照明板として、円形反射板の偏心位置にレンズ通し窓を開設すると共に、該通し窓の縁に２本のゴムベルトを取りつけたもので、使用においては、上記反射板を、その通し窓をカメラのレンズ筒に被嵌した状態で、カメラボディの前面に上記ゴムベルトにより締着し、そして上記反射板により外光を反射させて被写体に照射しつつ撮影を行うものが知られている。
【０００３】
しかし、上記のカメラ装着式反射照明板では、反射板がゴムベルトによりカメラボディ前面に締着されるため、反射光を被写体の所望部位に照射させるべく反射板の傾斜方向、傾斜角度を変更したい場合に、そのような変更が容易でない。
【０００４】
又、上記のカメラ装着式反射照明板の反射板を拡散板につけ替え、カメラ内蔵のストロボの発光を拡散して被写体に照射するように転用したものでは、被写体の状況によってストロボの光を拡散する度合を強弱に変更すべく拡散板のストロボからの離間距離を変更したい場合にも、そのような変更がほとんど不可能となる。
【考案の開示】
【考案が解決しようとする課題】
【０００５】
本考案は、光調整照明板の傾斜方向、傾斜角度及びストロボとの離間距離を容易に変更することのできるカメラ装着式光調整照明板を提供することを課題とする。
【課題を解決するための手段】
【０００６】
上記課題を解決する手段として、本考案は、
適宜形状の平板状光調整照明板の板面に、使用カメラのレンズ筒外径より大径の円形孔を開口し、
上記円形孔の内周縁部に、上記レンズ筒外径より小径のレンズ筒通し窓を中心部に設けてなるドーナツ状挟着シートを、その外周縁部において接続し、
上記ドーナツ状挟着シートは、屈撓性を有し、且つ上記レンズ筒通し窓を、外径の異る各種レンズ筒に被着できるように、大径に拡開可能に形成すると共に少くとも該通し窓内周縁部に常時狭搾方向へ弾性を付勢してある、
カメラ装着式の光調整照明板を提案する。
【考案の効果】
【０００７】
本考案のカメラ装着式光調整照明板によれば、ドーナツ状挟着シートのレンズ筒通し窓を使用カメラのレンズ筒に被着すれば、少くとも該通し窓の内周縁部がレンズ筒に弾性的に圧着して、光調整照明板をレンズ筒に確実に保持することができ、しかも、反射照明板に実施した場合は、その状態で、屈撓性ある挟着シートの上下一側部を前後方向に屈曲し、又は左右一側部を左右方向に屈曲することにより照明板を前後方向又は左右方向に傾斜させることができ、又上記屈曲を深く又は浅くすることにより傾斜角度を変えることもでき、それにより反射光を被写体の所望部位に照射することができるようになり、さらに、拡散照明板に実施した場合は、該拡散照明板をレンズ筒に沿って前後に移動させることにより拡散照明板とカメラ内蔵のストロボとの距離を変更し、それによりストロボ光の拡散を強弱に変えることができるのである。
【考案を実施するための最良の形態】
【０００８】
本考案における光調整照明板を拡散板に実施した場合は、「拡散板」としては、金属、合成樹脂等の弾性を有する線、帯、棒状の材料からなる枠材に、各種繊維、極細フィラメント等からなる布、半透明合成樹脂シート、不織布等の拡散シートを張設したものが使用される。
【０００９】
又、反射板に実施した場合は、「反射板」としては、上記と同様の枠材に、布、不織布、合成樹脂シート等の生地表面に白、銀、アルミ等の粉を含むペイントを塗布してなる反射シートを張設したものが使用される。
【００１０】
さらに、上記「挟着シート」には、布、ゴムシート、ゴム線で織った布等の屈撓性シートが使用され、その「上記レンズ筒通し窓を…大径に拡開可能に形成した」構造は、布等の弾性に乏しい挟着シートの場合は、上記通し窓の内周縁から放射方向に延長する多数のひだ寄せを付したものがあり、ゴムシート等の弾性挟着シートの場合は、該挟着シートの弾性変形により拡開可能にしたものがある。
【００１１】
またさらに、上記「少くともレンズ筒通し窓の内周縁部に常時狭搾方向へ弾性を付勢してある」構造には、布等の弾性に乏しい挟着シートの場合は、該通し窓の内周縁にゴム紐、コイルスプリング等の弾性線を該内周縁に沿って添着又は内装したものがあり、ゴムシート等の弾性挟着シートの場合は、該挟着シート全体で狭搾方向へ弾性復元力を与えたもの等がある。
【実施例】
【００１２】
図１、２は本考案をカメラ装着式拡散照明板に実施した例で、小幅の帯鋼からなる円形弾性枠（１）に、極細フィラメント布からなるウチワ型の拡散シート（２）を縁取り布（３）を介して縫着し、ウチワ型の拡散照明板（Ａ）に形成してある。
【００１３】
上記拡散シート（２）のカナメに近い部分に、使用カメラのレンズ筒の外径より適宜大径の円形孔（４）を開口し（図２参照）、該円形孔（４）の内周縁部に、上記レンズ筒外径より小径のレンズ筒通し窓（６）を中心部に設けてなる屈撓性のドーナツ状挟着シート（５）を、その外周縁部において縁取り布（７）を介して同心的に縫着してある。
【００１４】
上記挟着シート（５）は帯状布の一方の長辺部に多数のひだ寄せを付してドーナツ状に形成すると共に、該ひだ寄せによる通し窓（６）内周縁部に２つ折りの縁取り布（８）を袋状に縫着し、それにより該挟着シート（５）を、その通し窓（６）が外径の異る各種レンズ筒に被着できるように、大径に拡開可能にしてある。
【００１５】
さらに、上記袋状縁取り布（８）内に輪ゴム紐（９）を内装し、該輪ゴム紐（９）により、上記通し窓（６）の内周縁部に常時通し窓（６）を狭搾する方向へ弾性を付勢してある。
【００１６】
上記挟着シート（５）の通し窓（６）には、さらに、本例では３枚の屈撓性すべり止め片（１０）、（１０）、（１０）が設けられ、該すべり止め片は起毛布、表面に凹凸を付した合成樹脂又はゴムシート等のすべり止材からなる長方形のもので、これら長方形すべり止め片（１０）、（１０）、（１０）の２つ折り材を、上記通し窓（６）の内周縁の互に等間隔位置から放射方向に延長して挟着シート（５）の表裏両面に挟みつけた状態で、各すべり止め片両端部を上記縁取り布（７）の下に縫着してある。
【００１７】
上例のカメラ装着式拡散照明板（Ａ）の作用を次に説明する。挟着シート（５）の通し窓（６）をゴム紐（９）に抗して指で押し拡げながら図４に示すようにカメラ（Ｃ）のレンズ筒（ｌ）外周面に被装すると、上記ゴム紐（９）の弾性復元力により該通し窓（６）部分がレンズ筒（ｌ）外周面に圧着し、それによりカメラ（Ｃ）のストロボ（ｓ）の前側に拡散シート（２）を対面させた状態で、拡散照明板（Ａ）全体を保持する。
【００１８】
上記のような装着状態でストロボ撮影を行うと、ストロボ（ｓ）の発光が拡散シート（２）により拡散されて被写体に和らかい光を照射する。
【００１９】
上記被写体への拡散光をさらに和らかにしたい場合は、図３において、Ｘの位置にある挟着シート（５）の通し窓（６）をレンズ筒（ｌ）に沿って前方位置（Ｙ）に摺動させ、ストロボ（ｓ）との距離を拡げればよい。
【００２０】
次に、本考案をカメラ装着式反射照明板に実施した例として、上例の拡散シート（２）に代え、布の表面にアルミ粉ペイントを塗布してなる反射シート（２’）を枠材に張設し、他の構造は図１、２と実質的に同一とした例（Ａ’）が得られる。
【００２１】
本例の反射照明板（Ａ’）を上例と同様にカメラ（Ｃ）のレンズ筒（ｌ）に装着し、太陽光又は照明灯の光を反射シート（２’）で反射させて被写体の所望個所を照明する。
【００２２】
反射方向を変更したい場合、例えば図３において、Ｘの位置に垂直にある反射照明板（Ａ’）を前後方向のやや上向き傾斜位置Ｚに傾斜させると共に挟着シート（５’）をそれ伴って屈曲させると、反射照明板（Ａ’）がその傾斜位置に保持される。反射照明板（Ａ’）を左右方向へ傾斜させる場合も上記操作に準じて行えばよい。上記前後、左右方向の傾斜において、さらに傾斜角度を変えたい場合は、反射照明板（Ａ’）をさらに倒伏させ、挟着シート（５’）をそれに伴って屈曲させる。
【００２３】
図５は、カメラ装着式拡散照明板の他の実施例（Ａａ）で、ひだ寄せによる布製ドーナツ状挟着シート（５ａ）及び縁取り布（８ａ）の一個所を半径方向に切り開き（１１ａ）、袋状縁取り布（８ａ）内に通したゴム紐（９ａ）の両端部を上記開き部（１１ａ）から外部へ長く引き出すと共に、係脱自在のバックル（１２ａ）により連結し、該バックル（１２ａ）の係脱によりゴム紐（９ａ）の長さを変更することにより通し窓（６ａ）を狭搾方向へ弾発する力を強弱に調節できるようにしてある。
【００２４】
なお、上記各例のカメラ装着式光調整照明板の照明シート（２）、（２’）、（２ａ）の枠に円形弾性枠（１）を使用することにより、照明板全体をほぼ８の字にひねってコンパクトに折り畳むことができる。
【図面の簡単な説明】
【００２５】
【図１】本考案によるカメラ装着式拡散照明板の一部切欠正面図である。
【図２】挟着シート部分の拡大一部切欠正面図である。
【図３】光調整照明板の作用を示す略線図である。
【図４】拡散照明板をカメラレンズ筒に装着した状態の斜面図である。
【図５】カメラ装着式拡散照明板の他の実施例の挟着シート部分の拡大正面図である。
【符号の説明】
【００２６】
Ａ、Ａａ  カメラ装着式拡散照明板
Ａ’  カメラ装着式反射照明板
２、２ａ  拡散シート
２’  反射シート
４  円形孔
５、５ａ、５’  挟着シート
６、６ａ  レンズ筒通し窓
９、９ａ  ゴム紐
Ｃ  カメラ
ｌ  レンズ筒
【図１】
0003113463.tif 000003
【図２】
0003113463.tif 000004
【図３】
0003113463.tif 000005
【図４】
0003113463.tif 000006
【図５】
0003113463.tif 000007